(57)【要約】【課題】パラメトリックスピーカとして使用することができ、かつ指向性を変更することができる表示装置を提供する。【解決手段】この表示装置は、偏光部材１２０を有している。偏光部材１２０は、圧電フィルム１０、偏光子層２２，２４、並びに複数の第１電極１２を備えている。偏光子層２２，２４は、圧電フィルム１０上に形成されている。複数の第１電極１２は、圧電フィルム１０の一面上に設けられており、互いに分離している。いずれの第１電極１２に駆動信号が入力されるかによって、圧電フィルム１０のうち振動する領域Ａが変わる。振動する領域Ａが変わると、共振周波数が変わる。パラメトリックスピーカの搬送波は、発振源の共振周波数に設定されることが多い。従って本実施形態によれば、パラメトリックスピーカの指向性を、利用場面によって変更できる。【選択図】図１
2012216905.tif 000002
【特許請求の範囲】
【請求項１】
圧電フィルムと、
前記圧電フィルム上に形成された偏光子層と、
前記圧電フィルムの一面上に設けられ、互いに分離している複数の電極と、
を有する偏光部材を有する表示装置。
【請求項２】
請求項１に記載の表示装置において、
前記圧電フィルムを振動させるための駆動信号を、前記複数の電極に互いに独立して入力する制御手段をさらに備える表示装置。
【請求項３】
請求項１または２に記載の表示装置において、
前記複数の電極は、平面形状が互いに同一であり、かつ等間隔に２次元に配置されている表示装置。
【請求項４】
請求項１または２に記載の表示装置において、
少なくとも２つの前記電極は、平面形状が互いに異なる表示装置。
【請求項５】
請求項１〜４のいずれか一項に記載の表示装置において、
前記偏光部材上に設けられた液晶パネルをさらに備える表示装置。
【請求項６】
請求項１〜５のいずれか一項に記載の表示装置を有する電子機器。
【発明の詳細な説明】
【技術分野】
【０００１】
本発明は、表示装置及び電子機器に関する。
【背景技術】
【０００２】
スピーカの一つに、圧電素子を振動部材上に固定した発振源として利用するものがある。このタイプのスピーカは、ボイスコイル及び磁石を用いた動電型のスピーカと比較して、小型化しやすい、という特徴がある。このようなスピーカは、例えば携帯通信端末など、表示ディスプレイを有している電子機器に組み込まれることがある。
【０００３】
特許文献１には、表示ディスプレイの偏光アセンブリに圧電フィルムを組み込み、この圧電フィルムをスピーカとして使用することが記載されている。この偏光アセンブリは、圧電フィルム上に偏光フィルムを配置したものである。
【０００４】
特許文献２には、タッチパネルに圧電フィルムを組み込み、この圧電フィルムをスピーカとして使用することが記載されている。
【先行技術文献】
【特許文献】
【０００５】
【特許文献１】特開２００７−２８６４１号公報
【特許文献２】特開２００７−６６３０６号公報
【発明の概要】
【発明が解決しようとする課題】
【０００６】
圧電素子を利用したスピーカの一つに、超音波を搬送波として利用したパラメトリックスピーカがある。超音波は志向性が高いため、パラメトリックスピーカを用いると、ユーザ近傍など、特定の方向にのみ音場を形成することができる。
【０００７】
パラメトリックスピーカを携帯型の電子機器に搭載することを考えた場合、パラメトリックスピーカの指向性を、利用場面によって変更できるようにすることが好ましい。一方、携帯型の電子機器には、小型化が要求される。このためには、パラメトリックスピーカを、他の部品に組み込むことが望ましい。
【０００８】
本発明の目的は、パラメトリックスピーカとして使用することができ、かつ指向性を変更することができる表示装置及び電子機器を提供することにある。
【課題を解決するための手段】
【０００９】
本発明によれば、圧電フィルムと、
前記圧電フィルム上に形成された偏光子層と、
前記圧電フィルムの一面上に設けられ、互いに分離している複数の電極と、
を有する偏光部材を有する表示装置が提供される。
【００１０】
本発明によれば、上記した表示装置を有する電子機器が提供される。
【発明の効果】
【００１１】
本発明によれば、パラメトリックスピーカとして使用することができ、かつ指向性を変更することができる表示装置及び電子機器を提供できる。
【図面の簡単な説明】
【００１２】
【図１】第１の実施形態に係る表示装置の構成を示す平面図である。
【図２】図１に示した表示装置の層構造を示す断面図である。
【図３】実施形態の効果を説明する図である。
【図４】図１及び図２に示した偏光部材が制御部に接続されている場合を示す図である。
【図５】図１に示した偏光部材を有する電子機器の平面図である。
【図６】表示ディスプレイの層構造を示す断面図である。
【図７】第２の実施形態に係る表示ディスプレイに用いられる偏光部材の構成を示す図である。
【発明を実施するための形態】
【００１３】
以下、本発明の実施の形態について、図面を用いて説明する。尚、すべての図面において、同様な構成要素には同様の符号を付し、適宜説明を省略する。
【００１４】
（第１の実施形態）
図１は、第１の実施形態に係る表示装置の構成を示す平面図である。図２は、図１に示した表示装置の層構造を示す断面図である。この表示装置は、偏光部材１２０を有している。偏光部材１２０は、圧電フィルム１０、偏光子層２２，２４、並びに複数の第１電極１２を備えている。偏光子層２２，２４は、圧電フィルム１０上に形成されている。複数の第１電極１２は、圧電フィルム１０の一面上に設けられており、互いに分離している。
【００１５】
超音波の指向性は、周波数が高いほど良くなる。このため、パラメトリックスピーカの搬送波の周波数を高くすると、パラメトリックスピーカの指向性は高くなる。パラメトリックスピーカの搬送波は、発振源の共振周波数に設定されることが多い。
【００１６】
本実施形態では、第１電極１２に駆動信号が入力されると、圧電フィルム１０は発振する。そして図３（ａ）及び（ｂ）に示すように、いずれの第１電極１２に駆動信号が入力されるかによって、圧電フィルム１０のうち振動する領域Ａが変わる。振動する領域Ａが変わると、共振周波数が変わる。従って本実施形態によれば、パラメトリックスピーカの指向性を、利用場面によって変更できる。以下、詳細に説明する。
【００１７】
圧電フィルム１０は、圧電性を示す樹脂材料により形成されている。この樹脂材料は、例えばポリフッ化ビニリデンである。ただし、圧電フィルム１０は、他の樹脂材料、例えばポリビニルクロライド、ポリトリフルオロエチレンなどにより形成されてもよい。
【００１８】
本実施形態において、圧電フィルム１０の一面上に第１電極１２が形成されており、圧電フィルム１０の反対面に第２電極１４が形成されている。第２電極１４は、第１電極１２と同一形状を有しており、かつ平面視において第１電極１２と同一の部分に配置されている。なお、第２電極１４は、分割されていなくてもよく、所謂ベタ電極であっても良い。
【００１９】
複数の第１電極１２は、いずれも平面形状が互いに同一、例えば矩形である。そして第１電極１２は、等間隔に２次元に配置されている。
【００２０】
圧電フィルム１０上には、保護層３２、偏光子層２２、保護層３４、偏光子層２４、及び保護層３６が、この順に積層されている。保護層３２，３４，３６は、例えばトリアセチルセルロースである。また偏光子層２２，２４は、例えばポリビニルアルコールである。ただしこれらの層を構成する材料は、これらに限定されない。
【００２１】
図４は、図１及び図２に示した偏光部材１２０が制御部５０に接続されている場合を示す図である。制御部５０は、外部から入力された音声データを変調してパラメトリックスピーカ用の変調データを生成し、このデータに基づいて駆動信号を生成して圧電フィルム１０の第１電極１２及び第２電極１４に入力する。本実施形態において制御部５０は、複数の第１電極１２及び第２電極１４に、互いに独立して駆動信号を入力する。制御部５０がいずれの第１電極１２に及び第２電極１４に駆動信号を入力するかは、任意に設定できる。
【００２２】
図５は、図１に示した偏光部材１２０を有する電子機器の平面図である。偏光部材１２０は、表示ディスプレイ１００に組み込まれている。本実施形態において電子機器は、携帯型の電子機器であり、例えば携帯通信端末や携帯型ゲーム機器である。この電子機器が携帯通信端末である場合、電子機器は、一つの筐体で構成されていても良い。この場合、表示ディスプレイ１００はタッチパネル機能も有する。なお、電子機器は、表示ディスプレイ１００を有する第１筐体と、入力キーを有する第２筐体とを有していても良い。この場合、電子機器は折り畳み型であっても良いし、スライド型であっても良い。
【００２３】
図６は、表示ディスプレイ１００の層構造を示す断面図である。表示ディスプレイ１００は、光源１１０、偏光部材１２０、及び液晶パネル１３０を積層した構造を有している。光源１１０は、発光ダイオードであっても良い。
【００２４】
以上、本実施形態によれば、いずれの第１電極１２に駆動信号が入力されるかによって、パラメトリックスピーカの指向性を変更できる。
【００２５】
（第２の実施形態）
図７は、第２の実施形態に係る表示ディスプレイ１００に用いられる偏光部材１２０の構成を示す図である。本実施形態に係る偏光部材１２０は、少なくとも２つの第１電極１２の平面形状は、互いに異なる。
【００２６】
本実施形態によっても、第１の実施形態と同様の効果を得ることができる。
【００２７】
以上、図面を参照して本発明の実施形態について述べたが、これらは本発明の例示であり、上記以外の様々な構成を採用することもできる。
【符号の説明】
【００２８】
１０ 圧電フィルム
１２ 第１電極
１４ 第２電極
２２ 偏光子層
２４ 偏光子層
３２ 保護層
３４ 保護層
３６ 保護層
５０ 制御部
１００ 表示ディスプレイ
１１０ 光源
１２０ 偏光部材
１３０ 液晶パネル
【図１】
2012216905.tif 000003
【図２】
2012216905.tif 000004
【図３】
2012216905.tif 000005
【図４】
2012216905.tif 000006
【図５】
2012216905.tif 000007
【図６】
2012216905.tif 000008
【図７】
2012216905.tif 000009